【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
患者ＩＤ毎に情報を記憶するデータベースを有するサーバ装置と、このサーバ装置に通信回線を介して接続された状態において前記サーバ装置との間でデータを送受信可能な端末装置と、を有し、前記端末装置は、診療録を記憶できる領域を備える記憶装置を備えるとともに、通信回線状態を判断し、その判断結果に応じて、前記端末装置の記憶装置との間でデータのアクセスを可能とする入力装置から診療録の入力を行う院外での院外動作モードと、前記サーバ装置との間で通信回線を介してデータのアクセスを可能とする院内での院内動作モードのいずれかに設定する電子カルテ端末装置であって、
前記端末装置は、前記通信回線との接続を行うネットワーク処理部と、記憶装置と、入力装置と、表示装置と、これらの動作を制御する制御部とを有し、院外動作モード時に前記記憶部にユーザが希望する患者ＩＤが仮登録されおり、前記制御部は、院内動作モード時に仮登録された患者ＩＤとサーバ装置内に既に格納されている患者ＩＤとの間で重複するか否かを判断し、仮登録された患者ＩＤが重複しない場合には仮登録された患者ＩＤを院内環境における患者ＩＤとしてサーバ装置内のデータベースに格納することを特徴とする電子カルテ端末装置。
【請求項２】
前記端末装置の制御部は、端末動作中ネットワーク処理部の状態から通信回線状態を判断し、その判断結果に応じて、前記端末装置の記憶装置又は前記サーバ装置のどちらか一方にアクセス可能に制御することを特徴とする請求項１に記載の電子カルテ端末装置。
【請求項３】
前記端末装置の制御部は、通信回線が接続されていると判断したときは前記サーバ装置との間でデータを送受信可能なようにアクセス先を制御して院内動作モードに設定し、通信回線が遮断されていると判断したときには前記端末装置の記憶装置との間でデータの送受信可能なようにアクセス先を制御して院外動作モードに設定することを特徴とする請求項１又は請求項２に記載の電子カルテ端末装置。
【請求項４】
前記端末装置の制御部は、仮登録した患者ＩＤが重複する場合には、仮登録した患者ＩＤを院内環境において重複しない患者ＩＤと入れ替えサーバ装置内のデータベースに格納することを特徴とする請求項１ないし請求項３のいずれか１項に記載の電子カルテ端末装置。
【請求項５】
患者ＩＤ毎に情報を記録した診療録を保存するデータベースを有するサーバ装置と、このサーバ装置に通信回線を介して接続された状態において前記サーバ装置との間でデータを送受信可能な端末装置とを有し、前記端末装置は、診療録を記憶できる領域を備える記憶装置を備えるとともに、通信回線状態を判断し、その判断結果に応じて、前記端末装置の記憶装置との間でデータのアクセスを可能とする入力装置から診療録の入力を行う院外での院外動作モードと、前記サーバ装置との間で通信回線を介してデータのアクセスを可能とする院内での院内動作モードのいずれかに設定する電子カルテ端末装置であって、
前記端末装置は、前記通信回線との接続を行うネットワーク処理部と、記憶装置と、入力装置と、表示装置と、これらの動作を制御する制御部とを有し、前記制御部は、院外動作モード時に前記記憶部に格納した診療録を格納するデータベースに更新したデータがあるか否か判断し、更新データがある場合にサーバ装置内に既に格納されている診療録と重複するか否かを判断し、重複する診療録がある場合、前記表示装置に重複するサーバ装置に格納された診療録と記憶装置に格納された診療録を表示し、どちらか一方の診療録を選択可能にし、選択された診療録を院内モード時の診療録として前記サーバ装置のデータベースに格納することを特徴とする電子カルテ端末装置。
【請求項６】
前記端末装置の制御部は、端末動作中ネットワーク処理部の状態から通信回線状態を判断し、その判断結果に応じて、前記端末装置の記憶装置又は前記サーバ装置のどちらか一方にアクセス可能に制御することを特徴とする請求項５に記載の電子カルテ端末装置。
【請求項７】
前記端末装置の制御部は、通信回線が接続されていると判断したときは前記サーバ装置との間でデータを送受信可能なようにアクセス先を制御して院内動作モードに設定し、通信回線が遮断されていると判断したときには前記端末装置の記憶装置との間でデータの送受信可能なようにアクセス先を制御して院外動作モードに設定することを特徴とする請求項５又は請求項６に記載の電子カルテ端末装置。
【請求項８】
前記制御部は、選択しなかった重複診療録を過去履歴として前記サーバ装置のデータベースに保存することを特徴とする請求項５ないし請求項７のいずれか１項に記載の電子カルテ端末装置。
【請求項９】
前記制御部は、端末動作中、通信回線の状態を監視し、通信状態が変化したことを検出すると前記表示装置に通信状態が変化したことを表示させることを特徴とする請求項１ないし請求項８のいずれか１項に記載の電子カルテ端末装置。
【手続補正２】
【補正対象書類名】明細書
【補正対象項目名】００１５
【補正方法】変更
【補正の内容】
【００１５】
この発明の電子カルテ端末装置は、患者ＩＤ毎に情報を記憶するデータベースを有するサーバ装置と、このサーバ装置に通信回線を介して接続された状態において前記サーバ装置との間でデータを送受信可能な端末装置と、を有し、前記端末装置は、診療録を記憶できる領域を備える記憶装置を備えるとともに、通信回線状態を判断し、その判断結果に応じて、前記端末装置の記憶装置との間でデータのアクセスを可能とする入力装置から診療録の入力を行う院外での院外動作モードと、前記サーバ装置との間で通信回線を介してデータのアクセスを可能とする院内での院内動作モードのいずれかに設定する電子カルテ端末装置であって、前記端末装置は、前記通信回線との接続を行うネットワーク処理部と、記憶装置と、入力装置と、表示装置と、これらの動作を制御する制御部とを有し、院外動作モード時に前記記憶部にユーザが希望する患者ＩＤが仮登録されおり、前記制御部は、院内動作モード時に仮登録された患者ＩＤとサーバ装置内に既に格納されている患者ＩＤとの間で重複するか否かを判断し、仮登録された患者ＩＤが重複しない場合には仮登録された患者ＩＤを院内環境における患者ＩＤとしてサーバ装置内のデータベースに格納することを特徴とする。
また、前記端末装置の制御部は、端末動作中ネットワーク処理部の状態から通信回線状態を判断し、その判断結果に応じて、前記端末装置の記憶装置又は前記サーバ装置のどちらか一方にアクセス可能に制御するように構成すればよい。
また、前記端末装置の制御部は、通信回線が接続されていると判断したときは前記サーバ装置との間でデータを送受信可能なようにアクセス先を制御して院内動作モードに設定し、通信回線が遮断されていると判断したときには前記端末装置の記憶装置との間でデータの送受信可能なようにアクセス先を制御して院外動作モードに設定するように構成すればよい。
【手続補正３】
【補正対象書類名】明細書
【補正対象項目名】００１８
【補正方法】変更
【補正の内容】
【００１８】
また、この発明は、患者ＩＤ毎に情報を記録した診療録を保存するデータベースを有するサーバ装置と、このサーバ装置に通信回線を介して接続された状態において前記サーバ装置との間でデータを送受信可能な端末装置とを有し、前記端末装置は、診療録を記憶できる領域を備える記憶装置を備えるとともに、通信回線状態を判断し、その判断結果に応じて、前記端末装置の記憶装置との間でデータのアクセスを可能とする入力装置から診療録の入力を行う院外での院外動作モードと、前記サーバ装置との間で通信回線を介してデータのアクセスを可能とする院内での院内動作モードのいずれかに設定する電子カルテ端末装置であって、前記端末装置は、前記通信回線との接続を行うネットワーク処理部と、記憶装置と、入力装置と、表示装置と、これらの動作を制御する制御部とを有し、前記制御部は、院外動作モード時に前記記憶部に格納した診療録を格納するデータベースに更新したデータがあるか否か判断し、更新データがある場合にサーバ装置内に既に格納されている診療録と重複するか否かを判断し、重複する診療録がある場合、前記表示装置に重複するサーバ装置に格納された診療録と記憶装置に格納された診療録を表示し、どちらか一方の診療録を選択可能にし、選択された診療録を院内モード時の診療録として前記サーバ装置のデータベースに格納することを特徴とする。
【手続補正４】
【補正対象書類名】明細書
【補正対象項目名】００８５
【補正方法】変更
【補正の内容】
【００８５】
ユーザが院外端末モードで使用しようとして、院外端末用のＩＤを入力してエラーが何度も発生する場合には、ユーザは、ＩＤの間違いかＬＡＮケーブルが接続されたままの状態かが認識できる。このため、ユーザはＬＡＮケーブルの接続状態を見て院外端末モードとして用いる予定にも関わらず、ＬＡＮケーブルが接続されている場合には、ＬＡＮケーブルを外すことにより、院外端末モードへの動作の起動に切り替えることができる。